(57)【特許請求の範囲】
【請求項１】
複数の無線基地局装置と、前記複数の無線基地局装置と協調マルチポイント送受信可能に構成されたユーザ端末と、を備えた無線通信システムであって、
協調マルチポイント送信を適用する際に、協調マルチポイント送信する送信ポイントについての信号成分及び干渉成分の組み合わせで定義されたチャネル状態情報を少なくとも一つ含むセットの情報であるＣＳＩ（Channel  State  Information）セット情報をハイヤーレイヤシグナリングすると共に、前記ＣＳＩセット情報におけるチャネル状態情報のセットを示す、下り制御情報におけるＣＳＩリクエスト情報を送信する無線基地局装置と、
前記ＣＳＩセット情報及び前記ＣＳＩリクエスト情報に基づいてチャネル状態情報をフィードバックするユーザ端末と、
を具備することを特徴とする無線通信システム。
【請求項２】
複数のハイヤーレイヤシグナリングでＣＳＩセット情報を通知することを特徴とする請求項１記載の無線通信システム。
【請求項３】
複数の無線基地局装置と、前記複数の無線基地局装置と協調マルチポイント送受信可能に構成されたユーザ端末と、を備えた無線通信システムの無線基地局装置であって、
協調マルチポイント送信を適用する際に、協調マルチポイント送信する送信ポイントについての信号成分及び干渉成分の組み合わせで定義されたチャネル状態情報を少なくとも一つ含むセットの情報であるＣＳＩ（Channel  State  Information）セット情報をハイヤーレイヤシグナリングすると共に、前記ＣＳＩセット情報におけるチャネル状態情報のセットを示す、下り制御情報におけるＣＳＩリクエスト情報を送信することを特徴とする無線基地局装置。
【請求項４】
複数の無線基地局装置と、前記複数の無線基地局装置と協調マルチポイント送受信可能に構成されたユーザ端末と、を備えた無線通信システムの無線通信方法であって、
前記無線基地局装置において、協調マルチポイント送信を適用する際に、協調マルチポイント送信する送信ポイントについての信号成分及び干渉成分の組み合わせで定義されたチャネル状態情報を少なくとも一つ含むセットの情報であるＣＳＩ（Channel  State  Information）セット情報をハイヤーレイヤシグナリングすると共に、前記ＣＳＩセット情報におけるチャネル状態情報のセットを示す、下り制御情報におけるＣＳＩリクエスト情報を送信し、
前記ユーザ端末において、前記ＣＳＩセット情報及び前記ＣＳＩリクエスト情報に基づいてチャネル状態情報をフィードバックする、
ことを特徴とする無線通信方法。
【発明の詳細な説明】
【技術分野】
【０００１】
本発明は、次世代無線通信システムにおける無線通信システム、無線基地局装置及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ:Long  Term  Evolution）が検討されている（非特許文献１）。ＬＴＥではマルチアクセス方式として、下りリンクではＯＦＤＭＡ（Orthogonal  Frequency  Division  Multiple  Access）をベースとした方式を用い、上りリンクではＳＣ−ＦＤＭＡ（Single  Carrier  Frequency  Division  Multiple  Access）をベースとした方式を用いている。
【０００３】
ＬＴＥシステムにおいて、上りリンク信号は適切な無線リソースにマッピングされてユーザ端末から無線基地局装置に送信される。具体的には、上りユーザデータは、上りリンク共有チャネル（ＰＵＳＣＨ：Physical  Uplink  Shared  Channel）を用いて送信される。また、上りリンク制御情報（ＵＣＩ：Uplink  Control  Information）は、上りユーザデータと共に送信する場合はＰＵＳＣＨを用いて、単独で送信する場合は上りリンク制御チャネル（ＰＵＣＣＨ：Physical  Uplink  Control  Channel）を用いて送信される。
【０００４】
上りリンク制御情報（ＵＣＩ）には、下りリンク共有チャネル（ＰＤＳＣＨ：Physical  Downlink  Shared  Channel））に対する送達確認（ＡＣＫ／ＮＡＣＫ）、スケジューリング要求、チャネル状態情報（ＣＳＩ：Channel  State  Information）等が含まれる（例えば、非特許文献２）。チャネル状態情報（以下、ＣＳＩという）は、下りリンクの瞬時のチャネル状態に基づく情報であり、例えば、チャネル品質情報（ＣＱＩ）、プリコーディングマトリックス指標（ＰＭＩ）、ランク指標（ＲＩ）などである。このＣＳＩは、周期的又は非周期的に、ユーザ端末から無線基地局装置に通知される。
【０００５】
非周期的チャネル状態情報（Aperiodic  CSI）は、無線基地局装置からのトリガに応じて、ユーザ端末から当該無線基地局に通知される。このトリガ（Aperiodic  CSI  triggering）は、下りリンク制御チャネル（ＰＤＣＣＨ：Physical  Downlink  Control  Channel）で送信される上りリンクスケジューリンググラント（以下、ＵＬ（Uplink）グラントという）（ＤＣＩフォーマット０／４）に含まれている。ユーザ端末は、当該ＵＬグラントに含まれるトリガに従って、当該ＵＬグラントで指定されたＰＵＳＣＨを用いて、非周期チャネル状態情報（以下、Ａ−ＣＳＩという）を通知する。このようなＡ−ＣＳＩの通知は、非周期的チャネル状態情報通知（Aperiodic  CSI(CQI/PMI/RI)  Reporting）とも呼ばれる。
【先行技術文献】
【非特許文献】
【０００６】
【非特許文献１】3GPP,  TR25.912  (V7.1.0),  "Feasibility  study  for  Evolved  UTRA  and  UTRAN",  Sept.  2006
【非特許文献２】3GPP,  TS36.212  (V.9.3.0),  “Multiplexing  and  channel  coding”，  Nov．2010
【発明の概要】
【発明が解決しようとする課題】
【０００７】
ところで、３ＧＰＰにおいては、更なる広帯域化及び高速化を目的として、ＬＴＥシステムの後継システム（例えば、ＬＴＥ−Advanced（ＬＴＥ−Ａ）システム）も検討されている。ＬＴＥ−Ａシステムでは、ＬＴＥシステムとの後方互換性（Backward  compatibility）を保ちながら広帯域化を図ることが望ましい。そこで、ＬＴＥ−Ａシステムでは、ＬＴＥシステムで使用可能な帯域（例えば、２０ＭＨｚ）を有する基本周波数ブロック（コンポーネントキャリア（ＣＣ：Component  Carrier）とし、複数のコンポーネントキャリアを統合することにより広帯域化（例えば、５つのＣＣが統合された場合、１００ＭＨｚ）を図ることが検討されている。
【０００８】
このようなＬＴＥ−Ａシステムにおいては、一つのコンポーネントキャリア（ＣＣ）に対して少なくとも一つのセルが設けられ、ユーザ端末は、異なるコンポーネントキャリア（ＣＣ）の複数のセルにおいて通信できるように構成される。なお、各コンポーネントキャリア（ＣＣ）においてユーザ端末が主たる通信を行う一つのセルが、サービングセルとも称される。このように、ＬＴＥ−Ａシステムにおいては、ユーザ端末が、異なるコンポーネントキャリアの複数のサービングセルにおいて無線通信を行うことにより、システム帯域の広帯域化を実現する。
【０００９】
このようなＬＴＥ−Ａシステムにおいては、ユーザ端末が異なるコンポーネントキャリア（ＣＣ）の複数のサービングセルにおいて無線通信を行う場合、サービングセル毎に干渉レベルなどの通信状態が異なることとなる。したがって、ＬＴＥ−Ａシステムにおいて、上述のＣＳＩを複数フィードバックする必要がある。
【００１０】
一方で、ＬＴＥシステムに対してさらにシステム性能を向上させるための有望な技術の１つとして、セル間直交化がある。例えば、ＬＴＥ−Ａシステムでは、上下リンクとも直交マルチアクセスによりセル内の直交化が実現されている。すなわち、下りリンクでは、周波数領域においてユーザ端末ＵＥ（User  Equipment）間で直交化されている。一方、セル間はＷ−ＣＤＭＡと同様、１セル周波数繰り返しによる干渉ランダム化が基本である。
【００１１】
そこで、３ＧＰＰ（3rd  Generation  Partnership  Project）では、セル間直交化を実現するための技術として、協調マルチポイント送受信（ＣｏＭＰ：Coordinated  Multi-Point  transmission/reception）技術が検討されている。このＣｏＭＰ送受信では、１つあるいは複数のユーザ端末ＵＥに対して複数のセルが協調して送受信の信号処理を行う。例えば、下りリンクでは、プリコーディングを適用する複数セル同時送信、協調スケジューリング／ビームフォーミングなどが検討されている。これらのＣｏＭＰ送受信技術の適用により、特にセル端に位置するユーザ端末ＵＥのスループット特性の改善が期待される。
【００１２】
このように、ＬＴＥ−Ａシステムにおいては、キャリアアグリゲーション環境においてＣｏＭＰ送信が行われるシナリオが考えられる。このようなシナリオにおいては、ユーザ端末は、異なる干渉レベルの複数の送信ポイントについての複数のＣＳＩをフィードバックする必要がある。しかしながら、現状のキャリアアグリゲーションのフレームワークにおいては、それぞれのセルに対して一つのＣＳＩをフィードバックするようになっており、ＣｏＭＰ送信が適用される際に、それぞれの送信ポイントについての複数のＣＳＩをフィードバックすることがサポートされていない。
【００１３】
本発明はかかる点に鑑みてなされたものであり、キャリアアグリゲーションのフレームワークにおいてＣｏＭＰ送信が適用される際に、それぞれの送信ポイントについての複数のＣＳＩをフィードバックすることができる無線通信システム、無線基地局装置及び無線通信方法を提供することを目的とする。
【課題を解決するための手段】
【００１４】
本発明の無線通信システムは、複数の無線基地局装置と、前記複数の無線基地局装置と協調マルチポイント送受信可能に構成されたユーザ端末と、を備えた無線通信システムであって、協調マルチポイント送信を適用する際に、協調マルチポイント送信する送信ポイントについての信号成分及び干渉成分の組み合わせで定義されたチャネル状態情報を少なくとも一つ含むセットの情報であるＣＳＩ（Channel  State  Information）セット情報をハイヤーレイヤシグナリングすると共に、前記ＣＳＩセット情報におけるチャネル状態情報のセットを示す、下り制御情報におけるＣＳＩリクエスト情報を送信する無線基地局装置と、前記ＣＳＩセット情報及び前記ＣＳＩリクエスト情報に基づいてチャネル状態情報をフィードバックするユーザ端末と、を具備することを特徴とする。
【発明の効果】
【００１７】
本発明によれば、キャリアアグリゲーションのフレームワークにおいてＣｏＭＰ送信が適用される際に、それぞれの送信ポイントについての複数のＣＳＩをフィードバックすることができる。
【図面の簡単な説明】
【００１８】
【図１】ＬＴＥシステムにおける上りリンク制御情報の送信方法の一例を示す図である。
【図２】ＬＴＥ−Ａシステムにおける上りリンク制御情報の送信方法の一例を示す図である。
【図３】ＬＴＥ−ＡシステムにおけるＡ−ＣＳＩの通知方法の一例を示す図である。
【図４】協調マルチポイント送信を説明するための図である。
【図５】協調マルチポイント送受信に適用される無線基地局装置の構成を示す模式図である。
【図６】キャリアアグリゲーションのフレームワークにおいてＣｏＭＰ送信を適用する際の課題を説明するための図である。
【図７】本発明に係る第１の方法を説明するための図である。
【図８】本発明に係る第２の方法を説明するための図である。
【図９】本発明に係る第３の方法を説明するための図である。
【図１０】本発明のシグナリング方法を実現するシナリオを説明するための図である。
【図１１】本発明のシグナリング方法を実現するシナリオを説明するための図である。
【図１２】図１１に示すシナリオにおいて第１の方法を実現する場合について説明するための図である。
【図１３】図１１に示すシナリオにおいて第２の方法を実現する場合について説明するための図である。
【図１４】図１１に示すシナリオにおいて第３の方法を実現する場合について説明するための図である。
【図１５】本発明の実施の形態に係る無線通信システムの構成の説明図である。
【図１６】本発明の実施の形態に係る無線基地局装置の全体構成を示す機能ブロック図である。
【図１７】本発明の実施の形態に係るユーザ端末の全体構成を示す機能ブロック図である。
【図１８】本発明の実施の形態に係る無線基地局装置のベースバンド処理部及び一部の上位レイヤを示す機能ブロック図である。
【図１９】本発明の実施の形態に係るユーザ端末のベースバンド処理部の機能ブロック図である。
【発明を実施するための形態】
【００１９】
以下、本発明の実施の形態について添付図面を参照して詳細に説明する。なお、以下の説明において、無線基地局装置は、送信ポイントとして置き換えることができる。
図１は、ＬＴＥシステムにおける上りリンク制御情報の送信方法の一例を示す図である。上述したように、上りリンク制御情報（ＵＣＩ）は、上りユーザデータがない場合には、上りリンク制御チャネル（ＰＵＣＣＨ）を介して送信される。一方、上りリンク制御情報（ＵＣＩ）は、上りリンクスケジューリンググラント（ＵＬグラント）（ＤＣＩフォーマット０／４）が下りリンク制御チャネル（ＰＤＣＣＨ）を介して送信された場合（すなわち、上りユーザデータが存在する場合）には、当該ＵＬグラントで指定された上りリンク共有チャネル（ＰＵＳＣＨ）を介して上りユーザデータとともに送信される。
【００２０】
例えば、上りリンク制御情報（ＵＣＩ）の一つである非周期的チャネル状態情報（Ａ−ＣＳＩ）は、非周期的チャネル状態情報通知のトリガ（以下、Ａ−ＣＳＩトリガという）がＵＬグラント（ＤＣＩフォーマット０／４）に含まれているため、当該ＵＬグラントに関連付けられたＰＵＳＣＨを介して送信される。
【００２１】
図２は、ＬＴＥ−Ａシステムにおける上りリンク制御情報の送信方法の一例を示す図である。ＬＴＥ−Ａシステムでは、複数のコンポーネントキャリア（ＣＣ）の統合によって広帯域化を図るため、ユーザ端末は、異なるコンポーネントキャリアの複数のサービングセルにおいて通信できるように構成される。一方で、ＬＴＥ−Ａシステムの上りリンク伝送においては、ＳＣ−ＦＤＭＡの無線アクセス方式の適用が検討されている。このため、上りリンク伝送では、上りシングルキャリア送信の特性を維持するために単一のＣＣ（すなわち、単一のサービングセル）から送信することが望ましい。
【００２２】
上りリンク伝送を単一のＣＣで行う場合には、上りリンク制御情報（ＵＣＩ）を送信するために、特定のＣＣのサービングセルを選択することが要求される。例えば、ＵＣＩが、ＰＵＣＣＨを介して送信される場合は、ＰＵＣＣＨが送信されるＰＣＣ（Primary  Component  Carrier）のサービングセルが選択される。一方、ＵＣＩが、ＰＵＳＣＨを介してユーザデータとともに送信される場合、ＵＬグラントに関連付けられたＣＣのサービングセルが選択される。
【００２３】
より具体的には、図２Ａに示すように、ユーザ端末からのＡ−ＣＳＩの通知が要求される場合（ＵＬグラントにＡ−ＣＳＩトリガが含まれる場合）、当該ＵＬグラントに関連付けられたＳＣＣ（Secondary  Component  Carrier））のサービングセル（Ｓセルとも呼ばれる）が選択され、選択されたＳＣＣを用いてＡ−ＣＳＩを含むＵＣＩが送信される。一方、図２Ｂに示すように、ユーザ端末からのＡ−ＣＳＩの通知が要求されない場合、ＰＣＣのサービングセル（Ｐセルとも呼ばれる）が選択され、選択されたＰセルを用いてＵＣＩが送信される。また、ＬＴＥ−Ａシステムにおいては、複数のＳＣＣが存在する場合で、ユーザ端末からのＡ−ＣＳＩの通知が要求されないときは、セルインデックスの小さいＳＣＣを用いてＵＣＩが送信される。
【００２４】
図３は、ＬＴＥ−ＡシステムにおけるＡ−ＣＳＩの送信方法の一例を示す図である。図３に示すように、ネットワーク側において少なくとも一つの下りサービングセルを指定しようとする場合、ＵＬグラント（ＤＣＩフォーマット０／４）に、Ａ−ＣＳＩトリガだけでなく、所定のサービングセルを指定するビット情報を追加することが考えられる。例えば、図３に示すように、既存のＡ−ＣＳＩトリガフィールド（１ビット）に１ビットを追加することにより、Ａ−ＣＳＩを通知すべきか否かに加えて、どの下りサービングセルのＡ−ＣＳＩを通知すべきかを指定することが検討されている。
【００２５】
例えば、図３では、２ビットのＡ−ＣＳＩトリガフィールド（CSI  Request  fieldともいう）の値が“００”である場合、“Ａ−ＣＳＩを送信しない”ことを示す。また、Ａ−ＣＳＩトリガフィールドの値が“０１”である場合、“ＵＬグラントに関連付けられた上りＣＣに対応する下りＣＣのＡ−ＣＳＩを送信する”ことを示す。また、Ａ−ＣＳＩトリガフィールドの値が“１０”である場合、“ハイヤーレイヤシグナリングにより第１のセットとして指定された少なくとも一つのサービングセルについてのＡ−ＣＳＩを送信する”ことを示す。また、Ａ−ＣＳＩトリガフィールの値が“１１”である場合、“ハイヤーレイヤシグナリングにより第２のセットとして指定された少なくとも一つのサービングセルについてのＡ−ＣＳＩを送信する”ことを示す。
【００２６】
上述の例においては、ハイヤーレイヤシグナリング（例えば、ＲＲＣシグナリング、ＭＡＣシグナリング、報知信号）を用いた上位制御信号により第１のセット及び第２のセットを構成する少なくとも一つの下りサービングセルを予め通知することにより、Ａ−ＣＳＩトリガフィールドの値が“１０”及び“１１”の場合に、２種類の通知パターンを実現する。
【００２７】
例えば、ユーザ端末が２つのサービングセル（セル＃０及び＃１）を用いる場合、上位制御信号により、第１のセットとしてセル＃０、第２のセットとしてセル＃１が予め通知されるとする。この場合、ユーザ端末は、ＵＬグラント（フォーマット０／４）に含まれるＡ−ＣＳＩトリガフィールドの値が“１０”であれば、第１のセットのセル＃０のＡ−ＣＳＩを無線基地局装置に通知する。一方、ユーザ端末は、Ａ−ＣＳＩトリガフィールドの値が“１１”であれば、第２のセットのセル＃１のＡ−ＣＳＩを通知する。
【００２８】
ここで、図４を用いて下りリンクのＣｏＭＰ送信について説明する。下りリンクのＣｏＭＰ送信としては、Coordinated  Scheduling/Coordinated  Beamforming（ＣＳ／ＣＢ）と、Joint  processingとがある。Coordinated  Scheduling/Coordinated  Beamformingは、１つのユーザ端末ＵＥに対して１つのセルからのみ共有データチャネルを送信する方法であり、図４Ａに示すように、他セルからの干渉や他セルへの干渉を考慮して周波数／空間領域における無線リソースの割り当てを行う。一方、Joint  processingは、プリコーディングを適用して複数のセルから同時に共有データチャネルを送信する方法であり、図４Ｂに示すように、１つのユーザ端末ＵＥに対して複数のセルから共有データチャネルを送信するJoint  transmissionと、図４Ｃに示すように、瞬時に１つのセルを選択し共有データチャネルを送信するDynamic  Point  Selection（ＤＰＳ）とがある。また、干渉となる送信ポイントに対して一定領域のデータ送信を停止するDynamic  Point  Blanking（ＤＰＢ）という送信形態もある。
【００２９】
ＣｏＭＰ送受信を実現する構成としては、例えば、図５Ａに示すように、無線基地局装置（無線基地局装置ｅＮＢ）に対して光ファイバ等で接続された複数の遠隔無線装置（ＲＲＥ：Remote  Radio  Equipment）とを含む構成（ＲＲＥ構成に基づく集中制御）と、図５Ｂに示すように、無線基地局装置（無線基地局装置ｅＮＢ）の構成（独立基地局構成に基づく自律分散制御）とがある。なお、図５Ａにおいては、複数の遠隔無線装置ＲＲＥを含む構成を示すが、図４に示すように、単一の遠隔無線装置ＲＲＥのみを含む構成としてもよい。
【００３０】
図５Ａに示す構成（ＲＲＥ構成）においては、遠隔無線装置ＲＲＥ１，ＲＲＥ２を無線基地局装置ｅＮＢで集中的に制御する。ＲＲＥ構成では、複数の遠隔無線装置ＲＲＥのベースバンド信号処理及び制御を行う無線基地局装置ｅＮＢ（集中基地局）と各セル（すなわち、各遠隔無線装置ＲＲＥ）との間が光ファイバを用いたベースバンド信号で接続されるため、セル間の無線リソース制御を集中基地局において一括して行うことができる。すなわち、独立基地局構成で問題となる無線基地局装置ｅＮＢ間のシグナリングの遅延やオーバーヘッドの問題が小さく、セル間の高速な無線リソース制御が比較的容易となる。したがって、ＲＲＥ構成においては、下りリンクでは、複数セル同時送信のような高速なセル間の信号処理を用いる方法が適用できる。
【００３１】
一方、図５Ｂに示す構成（独立基地局構成）においては、複数の無線基地局装置ｅＮＢ（又はＲＲＥ）でそれぞれスケジューリングなどの無線リソース割り当て制御を行う。この場合においては、セル１の無線基地局装置ｅＮＢとセル２の無線基地局装置ｅＮＢとの間のＸ２インターフェースで必要に応じてタイミング情報やスケジューリングなどの無線リソース割り当て情報をいずれかの無線基地局装置ｅＮＢに送信して、セル間の協調を行う。
【００３２】
ＣｏＭＰ送信は、セル端に存在するユーザ端末のスループットを改善するために適用する。このため、ユーザ端末がセル端に存在する場合にＣｏＭＰ送信を適用するように制御する。この場合においては、無線基地局装置で、ユーザ端末からのセル毎の品質情報（例えば、ＲＳＲＰ（Reference  Signal  Received  Power））、又はＲＳＲＱ(Reference  Signal  Received  Quality)、又はＳＩＮＲ（Signal  Interference  plus  Noise  Ratio）等の差を求め、その差が閾値以下である場合、すなわちセル間の品質差が小さい場合には、ユーザ端末がセル端に存在すると判断して、ＣｏＭＰ送信を適用する。一方、セル毎の品質情報の差が閾値を超える場合、すなわちセル間の品質差が大きい場合には、いずれかのセルの無線基地局装置に近いのでセルの中央付近にユーザ端末が存在すると判断して、ＣｏＭＰ送信を適用しない。
【００３３】
ＣｏＭＰ送信を適用する場合には、ユーザ端末は、複数のセル毎のＣＳＩを無線基地局装置（サービングセルの無線基地局装置）にフィードバックする。一方、ＣｏＭＰ送信を適用しない場合には、ユーザ端末は、サービングセルのＣＳＩを無線基地局装置にフィードバックする。
【００３４】
上述したように、ＬＴＥ−Ａシステムにおいては、キャリアアグリゲーション環境においてＣｏＭＰ送信が行われるシナリオが考えられる。このようなシナリオにおいては、ユーザ端末は、異なる干渉レベルの複数の送信ポイントについての複数のＣＳＩをフィードバックする必要がある。
【００３５】
例えば、図６Ａに示すように、セル＃１とセル＃２のセル端にユーザ端末ＵＥが存在しており、セル＃１の無線基地局装置ｅＮＢ＃１（送信ポイント（ＴＰ）１）とセル＃２の無線基地局装置ｅＮＢ＃２（ＴＰ２）とでＣｏＭＰ送信する場合を想定すると、図６Ｂに示す４通りのＣＳＩが考えられる。すなわち、ＣＳＩとしては、ＴＰ１（ＣＳＩ−ＲＳリソース１）を用いて得られた一つのＴＰ（ＴＰ１）以外の干渉の指標であるＣＳＩ１、ＴＰ１（ＣＳＩ−ＲＳリソース１）を用いて得られた２つのＴＰ（ＴＰ１，ＴＰ２）以外の干渉の指標であるＣＳＩ３、ＴＰ２（ＣＳＩ−ＲＳリソース２）を用いて得られた一つのＴＰ（ＴＰ２）以外の干渉の指標であるＣＳＩ２、ＴＰ２（ＣＳＩ−ＲＳリソース１）を用いて得られた２つのＴＰ（ＴＰ１，ＴＰ２）以外の干渉の指標であるＣＳＩ４が考えられる。ここで、ＳＭＲ（Signal  Measurement  Resource）１をＴＰ１からの信号成分とし、ＩＭＲ（Interference  Measurement  Resource）１をＴＰ１以外の干渉成分とし、ＳＭＲ２をＴＰ２からの信号成分とし、ＩＭＲ２をＴＰ２以外の干渉成分とし、ＩＭＲ３をＴＰ１及びＴＰ２以外の干渉成分としたとき、ＣＳＩ１はＳＭＲ１及びＩＭＲ１で求められ、ＣＳＩ２はＳＭＲ２及びＩＭＲ２で求められ、ＣＳＩ３はＳＭＲ１及びＩＭＲ３で求められ、ＣＳＩ４はＳＭＲ２及びＩＭＲ３で求められる。
【００３６】
しかしながら、現状のキャリアアグリゲーションのフレームワークにおいては、それぞれのセルに対して一つのＣＳＩをフィードバックするようになっており、ＣｏＭＰ送信が適用される際に、それぞれの送信ポイントについての複数のＣＳＩをフィードバックすることがサポートされていない。
【００３７】
そこで、本発明者らは、下り制御情報（ＤＣＩ）のＣＳＩリクエストフィールド及び／又はハイヤーレイヤシグナリング（ＲＲＣシグナリング、ＭＡＣシグナリング、報知信号等）の使用を変更して、ＣｏＭＰ送信の際のそれぞれの送信ポイントについての複数のＣＳＩフィードバックをサポートすることを見出し本発明をするに至った。
【００３８】
本発明には、以下の３つの方法が含まれる。
（第１の方法）
第１の方法では、無線基地局装置において、ＣｏＭＰ送信を適用する際に、少なくとも一つのＣＳＩを含むセットのＣＳＩセット情報をハイヤーレイヤシグナリングすると共に、下り制御情報におけるＣＳＩリクエスト情報を送信し、ユーザ端末において、ＣＳＩセット情報及びＣＳＩリクエスト情報に基づいてＣＳＩをフィードバックする。
【００３９】
第１の方法では、ＣＳＩ−ＲＳリソース（ＳＭＲ）と干渉（ＩＭＲ）との間の複数の組み合わせで定義される複数のＣＳＩをグループ化し、そのグループをＣＳＩセットとして割り当てる。そして、そのように割り当てられたセットの情報をＲＲＣシグナリング（または、ＭＡＣシグナリング、報知信号)でユーザ端末に通知する。その後、ＣｏＭＰ送信が適用されたときに、ＤＣＩのＣＳＩリクエストフィールドでＣＳＩセットを通知する（Ａ−ＣＳＩ通知）。
【００４０】
第１の方法は、具体的には、まず、図７Ａに示すＣｏＭＰ適用時の新しいテーブルを規定する（ステップ１）。このテーブルは、無線基地局装置ｅＮＢ及びユーザ端末ＵＥで格納される。このとき、無線基地局装置は、ＣｏＭＰ適用時のそれぞれのユーザ端末の第１セット及び第２セット（ＣＳＩのセット情報）を決定する（ステップ２）。ここでは、図７Ｂに示すように、ＣＳＩ１、ＣＳＩ２及びＣＳＩ３を第１セットとし、ＣＳＩ４を第２セットとしている。なお、どのようにグループ化してそのグループをＣＳＩセットに割り当てるかについては、ＣＳＩのフィードバックオーバーヘッド、ＣＳＩのトータル数、ＣＳＩの粒度、ユーザ端末ＵＥの能力（capability）、ＣｏＭＰ送信方法等により無線基地局装置が適宜決定する。
【００４１】
図７Ａでは、２ビットのＡ−ＣＳＩトリガフィールド（ＣＳＩリクエストフィールド）の値が“００”である場合、“Ａ−ＣＳＩを送信しない”ことを示す。また、Ａ−ＣＳＩトリガフィールドの値が“０１”である場合、“サービングセル以外の干渉を仮定したときのサービングセルについてのＡ−ＣＳＩを送信する”ことを示す。なお、Ａ−ＣＳＩトリガフィールドの値が“０１”について、Ｒｅｌ．１０ＬＴＥと同一の値になるように定義してもよい。また、Ａ−ＣＳＩトリガフィールドの値が“１０”である場合、“ハイヤーレイヤシグナリングにより第１セットのＣＳＩをＡ−ＣＳＩとして送信する”ことを示す。また、Ａ−ＣＳＩトリガフィールの値が“１１”である場合、“ハイヤーレイヤシグナリングにより第２セットのＣＳＩをＡ−ＣＳＩとして送信する”ことを示す。
【００４２】
無線基地局装置ｅＮＢは、ＣｏＭＰ適用時に、ユーザ端末に対して、上記のように決定したセット情報（ＣＳＩセット情報）をＲＲＣシグナリング（または、ＭＡＣシグナリング、報知信号）で送信する（ステップ３）。ここでは、セット情報は、ＣＳＩ１、ＣＳＩ２及びＣＳＩ３を第１セットとし、ＣＳＩ４を第２セットとした情報である。次いで、無線基地局装置ｅＮＢは、ＣｏＭＰ適用時に、ＤＣＩを用いてＣＳＩリクエスト情報（図７Ａに示すビット情報）をユーザ端末に送信する（ステップ４）。例えば、無線基地局装置ｅＮＢは、ＣｏＭＰ適用時に、ＤＣＩでビット”１０”をユーザ端末に送信する。
【００４３】
そして、ユーザ端末ＵＥは、ＣＳＩリクエスト情報及びＣＳＩセット情報にしたがってＣＳＩを無線基地局装置ｅＮＢにフィードバックする（ステップ５）。例えば、ユーザ端末ＵＥは、ＤＣＩでビット”１０”を受信すると、図７Ａに示すテーブルにしたがって第１セットのＣＳＩをフィードバックすることを知る。このとき、ユーザ端末ＵＥは、無線基地局装置ｅＮＢからのＲＲＣシグナリング（または、ＭＡＣシグナリング、報知信号）で通知されたセット情報により、第１セットのＣＳＩがＣＳＩ１、ＣＳＩ２、ＣＳＩ３を意味することを知っている。このため、ユーザ端末ＵＥは、ＣＳＩ１、ＣＳＩ２、ＣＳＩ３をＰＵＳＣＨ信号でフィードバックする。
【００４４】
（第２の方法）
第２の方法では、無線基地局装置において、ＣｏＭＰ送信を適用する際に、どの干渉を干渉成分とするかの情報を、下り制御情報におけるＣＳＩリクエスト情報として送信し、ユーザ端末において、ＣＳＩリクエスト情報に基づいてＣＳＩをフィードバックする。どの干渉を干渉成分とするかとは、どのセル以外のセルの干渉を干渉成分とするかの情報を意味する。
【００４５】
第２の方法では、ＣｏＭＰ送信が適用された時に、送信ポイントの干渉成分（どの干渉を干渉成分にするか）をユーザ端末に通知する（Ａ−ＣＳＩ通知）。これにより、第１の方法で通知したセット情報の通知が不要となり、シグナリングのオーバーヘッドを削減することができる。
【００４６】
第２の方法は、具体的には、まず、図８に示すＣｏＭＰ適用時の新しいテーブルを規定する（ステップ１）。このテーブルは、無線基地局装置ｅＮＢ及びユーザ端末ＵＥで格納される。図８では、２ビットのＡ−ＣＳＩトリガフィールド（ＣＳＩリクエストフィールド）の値が“００”である場合、“Ａ−ＣＳＩを送信しない”ことを示す。また、Ａ−ＣＳＩトリガフィールドの値が“０１”である場合、“サービングセル以外の干渉を仮定したときのサービングセルについてのＡ−ＣＳＩを送信する”ことを示す。また、Ａ−ＣＳＩトリガフィールドの値が“１０”である場合、“すべてのサービングセルに対して１つの送信ポイント以外の干渉を干渉成分としたＡ−ＣＳＩを送信する”ことを示す。また、Ａ−ＣＳＩトリガフィールの値が“１１”である場合、“すべてのサービングセルに対して２つの送信ポイント以外の干渉を干渉成分としたＡ−ＣＳＩを送信する”ことを示す。
【００４７】
無線基地局装置ｅＮＢは、ＣｏＭＰ適用時に、ＤＣＩを用いてＣＳＩリクエスト情報（図８に示すビット情報）をユーザ端末に送信する（ステップ２）。例えば、無線基地局装置ｅＮＢは、ＣｏＭＰ適用時に、ＤＣＩでビット”１１”をユーザ端末に送信する。
【００４８】
そして、ユーザ端末ＵＥは、ＣＳＩリクエスト情報にしたがってＣＳＩを無線基地局装置ｅＮＢにフィードバックする（ステップ３）。例えば、ユーザ端末ＵＥは、ＤＣＩでビット”１１”を受信すると、図８に示すテーブルにしたがって、すべてのサービングセルに対して２つの送信ポイント以外の干渉を干渉成分としたＡ−ＣＳＩを送信することを知る。このとき、ユーザ端末ＵＥは、２つの送信ポイント以外の干渉を干渉成分としたＡ−ＣＳＩであるＣＳＩ３及びＣＳＩ４をＰＵＳＣＨ信号でフィードバックする。
【００４９】
（第３の方法）
第３の方法では、無線基地局装置において、ＣｏＭＰ送信を適用する際に、少なくとも一つの送信ポイントを含むセットのＴＰセット情報をハイヤーレイヤシグナリングすると共に、下り制御情報におけるＣＳＩリクエスト情報を送信し、ユーザ端末において、ＴＰセット情報及びＣＳＩリクエスト情報に基づいてＣＳＩをフィードバックする。
【００５０】
第３の方法では、送信ポイントのセットを決め、ＣｏＭＰ送信が適用された時に、送信ポイントの干渉成分（どの干渉を干渉成分にするか）及び送信ポイントのセットをユーザ端末にＲＲＣシグナリング（または、ＭＡＣシグナリング、報知信号）で通知する（Ａ−ＣＳＩ通知）。
【００５１】
第３の方法は、具体的には、まず、図９に示すＣｏＭＰ適用時の新しいテーブルを規定する（ステップ１）。このテーブルは、無線基地局装置ｅＮＢ及びユーザ端末ＵＥで格納される。このとき、無線基地局装置は、ＣｏＭＰ適用時のそれぞれのユーザ端末の第１セット及び第２セット（ＴＰのセット情報）を決定する（ステップ２）。ここでは、ＴＰ１を第１セットとし、ＴＰ２を第２セットとしている。なお、どのようにＴＰをセットに割り当てるかについては、ＴＰのトータル数、ＣＳＩのフィードバックオーバーヘッド、ユーザ端末ＵＥの能力（capability）、ＣｏＭＰの送信方法等により無線基地局装置が適宜決定する。
【００５２】
図９では、３ビットのＡ−ＣＳＩトリガフィールド（ＣＳＩリクエストフィールド）の値が“０００”である場合、“Ａ−ＣＳＩを送信しない”ことを示す。また、Ａ−ＣＳＩトリガフィールドの値が“００１”である場合、“サービングセル以外の干渉を仮定したときのサービングセルについてのＡ−ＣＳＩを送信する”ことを示す。また、Ａ−ＣＳＩトリガフィールドの値が“０１０”である場合、“第１セットのサービングセルに対して１つの送信ポイント以外の干渉を干渉成分としたＡ−ＣＳＩを送信する”ことを示す。また、Ａ−ＣＳＩトリガフィールドの値が“０１１”である場合、“第２セットのサービングセルに対して１つの送信ポイント以外の干渉を干渉成分としたＡ−ＣＳＩを送信する”ことを示す。また、Ａ−ＣＳＩトリガフィールドの値が“１００”である場合、“第１セットのサービングセルに対して２つの送信ポイント以外の干渉を干渉成分としたＡ−ＣＳＩを送信する”ことを示す。また、Ａ−ＣＳＩトリガフィールドの値が“１０１”である場合、“第２セットのサービングセルに対して２つの送信ポイント以外の干渉を干渉成分としたＡ−ＣＳＩを送信する”ことを示す。
【００５３】
無線基地局装置ｅＮＢは、ＣｏＭＰ適用時に、ユーザ端末に対して、上記のように決定したセット情報（ＴＰセット情報）をＲＲＣシグナリング（または、ＭＡＣシグナリング、報知信号）で送信する（ステップ３）。ここでは、セット情報は、ＴＰ１（ＳＭＲ１）を第１セットとし、ＴＰ２（ＳＭＲ２）を第２セットとした情報である。次いで、無線基地局装置ｅＮＢは、ＣｏＭＰ適用時に、ＤＣＩを用いてＣＳＩリクエスト情報（図９に示すビット情報）をユーザ端末ＵＥに送信する（ステップ４）。例えば、無線基地局装置ｅＮＢは、ＣｏＭＰ適用時に、ＤＣＩでビット”１００”をユーザ端末に送信する。
【００５４】
そして、ユーザ端末ＵＥは、ＣＳＩリクエスト情報及びＴＰセット情報にしたがってＣＳＩを無線基地局装置ｅＮＢにフィードバックする（ステップ５）。例えば、ユーザ端末ＵＥは、ＤＣＩでビット”１００”を受信すると、図９に示すテーブルにしたがって、第１セットのサービングセルに対して２つの送信ポイント以外の干渉を干渉成分としたＡ−ＣＳＩを送信することを知る。このとき、ユーザ端末ＵＥは、無線基地局装置ｅＮＢからのＲＲＣシグナリング（または、ＭＡＣシグナリング、報知信号）で通知されたセット情報により、第１セットのＴＰがＴＰ１を意味することを知っている。このため、ユーザ端末ＵＥは、ＣＳＩ３をＰＵＳＣＨ信号でフィードバックする。
【００５５】
次に、上述した本発明のシグナリング方法を実現するシナリオの例について説明する。
図１０Ａに示すシナリオは、送信ポイントＴＰ１（ｅＮＢ）のセルと送信ポイントＴＰ２，ＴＰ３のセルとがオーバーレイしたシステム構成において、ユーザ端末ＵＥにＣｏＭＰ送信を適用するシナリオである。
【００５６】
ここで、ＳＭＲ１をＴＰ１からの信号成分とし、ＩＭＲ１をＴＰ１以外の干渉成分とし、ＳＭＲ２をＴＰ２からの信号成分とし、ＩＭＲ２をＴＰ２以外の干渉成分とし、ＳＭＲ３をＴＰ３からの信号成分とし、ＩＭＲ３をＴＰ３以外の干渉成分とし、ＩＭＲ４をＴＰ１、ＴＰ２及びＴＰ３以外の干渉成分としたとき、ＣＳＩ１はＳＭＲ１及びＩＭＲ１で求められ、ＣＳＩ２はＳＭＲ２及びＩＭＲ２で求められ、ＣＳＩ３はＳＭＲ３及びＩＭＲ３で求められ、ＣＳＩ４はＳＭＲ２及びＩＭＲ４で求められ、ＣＳＩ５はＳＭＲ３及びＩＭＲ４で求められる。
【００５７】
この場合において、ＴＰ１の周波数が周波数Ｆ１であり、ＴＰ２及びＴＰ３の周波数が周波数Ｆ２であるとき、同じ周波数で一つのＴＰ以外の干渉を干渉成分として得られたＣＳＩと同じ周波数で２つのＴＰ以外の干渉を干渉成分として得られたＣＳＩとを分類すると図１０Ｂに示すようになる。すなわち、同じ周波数で一つのＴＰ以外の干渉を干渉成分として得られたＣＳＩはＣＳＩ１、ＣＳＩ２及びＣＳＩ３であり、同じ周波数で２つのＴＰ以外の干渉を干渉成分として得られたＣＳＩはＣＳＩ４及びＣＳＩ５である。したがって、図１０Ｂに示す分類を用いることにより、上記第１の方法〜第３の方法を適用することができる。具体的には、第１の方法では、ＣＳＩの第１セットをＣＳＩ１とし、ＣＳＩの第２セットをＣＳＩ２〜ＣＳＩ５とする。第３の方法では、ＴＰの第１セットをＴＰ１とし、ＴＰの第２セットをＴＰ２及びＴＰ３とする。
【００５８】
図１１Ａに示すシナリオは、送信ポイントＴＰ１（ｅＮＢ）のセルと送信ポイントＴＰ２，ＴＰ３のセルとがオーバーレイし、さらに送信ポイントＴＰ２，ＴＰ３のセルと送信ポイントＴＰ４，ＴＰ５のセルとがオーバーレイしたシステム構成において、ユーザ端末ＵＥにＣｏＭＰ送信を適用するシナリオである。
【００５９】
ここで、ＳＭＲ１をＴＰ１からの信号成分とし、ＩＭＲ１をＴＰ１以外の干渉成分とし、ＳＭＲ２をＴＰ２からの信号成分とし、ＩＭＲ２をＴＰ２以外の干渉成分とし、ＳＭＲ３をＴＰ３からの信号成分とし、ＩＭＲ３をＴＰ３以外の干渉成分とし、ＳＭＲ４をＴＰ４からの信号成分とし、ＩＭＲ４をＴＰ４以外の干渉成分とし、ＳＭＲ５をＴＰ５からの信号成分とし、ＩＭＲ５をＴＰ５以外の干渉成分とし、ＩＭＲ６をＴＰ１〜ＴＰ５以外の干渉成分としたとき、ＣＳＩ１はＳＭＲ１及びＩＭＲ１で求められ、ＣＳＩ２はＳＭＲ２及びＩＭＲ２で求められ、ＣＳＩ３はＳＭＲ３及びＩＭＲ３で求められ、ＣＳＩ４はＳＭＲ４及びＩＭＲ４で求められ、ＣＳＩ５はＳＭＲ５及びＩＭＲ５で求められ、ＣＳＩ６はＳＭＲ２及びＩＭＲ６で求められ、ＣＳＩ７はＳＭＲ３及びＩＭＲ６で求められ、ＣＳＩ８はＳＭＲ４及びＩＭＲ６で求められ、ＣＳＩ９はＳＭＲ５及びＩＭＲ６で求められる。
【００６０】
この場合において、ＴＰ１の周波数が周波数Ｆ１であり、ＴＰ２及びＴＰ３の周波数が周波数Ｆ２であり、ＴＰ４及びＴＰ５の周波数が周波数Ｆ３であるとき、同じ周波数で一つのＴＰ以外の干渉を干渉成分として得られたＣＳＩと同じ周波数で２つのＴＰ以外の干渉を干渉成分として得られたＣＳＩとを分類すると図１１Ｂに示すようになる。すなわち、同じ周波数で一つのＴＰ以外の干渉を干渉成分として得られたＣＳＩはＣＳＩ１、ＣＳＩ２、ＣＳＩ３、ＣＳＩ４及びＣＳＩ５であり、同じ周波数で２つのＴＰ以外の干渉を干渉成分として得られたＣＳＩはＣＳＩ６、ＣＳＩ７、ＣＳＩ８及びＣＳＩ９である。したがって、図１１Ｂに示す分類を用いることにより、上記第１の方法〜第３の方法を適用することができる。
【００６１】
例えば、複数のハイヤーレイヤシグナリング（ＲＲＣシグナリング、ＭＡＣシグナリング、報知信号）でＣＳＩセットを通知する。具体的には、図１２Ａに示すように、ＣＳＩ１、ＣＳＩ２及びＣＳＩ６を第１ＲＲＣシグナリング（または、ＭＡＣシグナリング、報知信号）の第１セットとし、ＣＳＩ３及びＣＳＩ７を第１ＲＲＣシグナリング（または、ＭＡＣシグナリング、報知信号）の第２セットとし、ＣＳＩ４及びＣＳＩ５を第２ＲＲＣシグナリング（または、ＭＡＣシグナリング、報知信号）の第１セットとし、ＣＳＩ８及びＣＳＩ９を第２ＲＲＣシグナリング（または、ＭＡＣシグナリング、報知信号）の第２セットとする。これにより、無線基地局装置ｅＮＢは、ＣｏＭＰ適用時に、図１２Ｂに示すテーブルを用いてＣＳＩリクエスト情報をユーザ端末ＵＥに送信する。
【００６２】
また、拡張されたＣＳＩリクエストフィールドを利用して、より多くのＣＳＩセットをサポートする（ここでは３ビットにする）。具体的には、図１３Ａに示すように、ＣＳＩ１、ＣＳＩ２及びＣＳＩ６を第１セットとし、ＣＳＩ３及びＣＳＩ７を第２セットとし、ＣＳＩ４及びＣＳＩ５を第３セットとし、ＣＳＩ８及びＣＳＩ９を第４セットとする。これにより、無線基地局装置ｅＮＢは、ＣｏＭＰ適用時に、図１３Ｂに示すテーブルを用いてＣＳＩリクエスト情報をユーザ端末ＵＥに送信する。図１３Ｂでは、３ビットのＡ−ＣＳＩトリガフィールド（ＣＳＩリクエストフィールド）の値が“０００”である場合、“Ａ−ＣＳＩを送信しない”ことを示す。また、Ａ−ＣＳＩトリガフィールドの値が“００１”である場合、“サービングセル以外の干渉を仮定したときのサービングセルについてのＡ−ＣＳＩを送信する”ことを示す。また、Ａ−ＣＳＩトリガフィールドの値が“０１０”である場合、“ハイヤーレイヤシグナリングにより第１セットのＣＳＩをＡ−ＣＳＩとして送信する”ことを示す。また、Ａ−ＣＳＩトリガフィールドの値が“０１１”である場合、“ハイヤーレイヤシグナリングにより第２セットのＣＳＩをＡ−ＣＳＩとして送信する”ことを示す。また、Ａ−ＣＳＩトリガフィールドの値が“１００”である場合、“ハイヤーレイヤシグナリングにより第３セットのＣＳＩをＡ−ＣＳＩとして送信する”ことを示す。また、Ａ−ＣＳＩトリガフィールドの値が“１０１”である場合、“ハイヤーレイヤシグナリングにより第４セットのＣＳＩをＡ−ＣＳＩとして送信する”ことを示す。これにより、無線基地局装置ｅＮＢは、ＣｏＭＰ適用時に、図１３Ｂに示すテーブルを用いてＣＳＩリクエスト情報をユーザ端末ＵＥに送信する。
【００６３】
また、既存のＤＣＩビット（例えば、ＣＩＦ（Carrier  indicator  field）ビット）を利用してＣＳＩリクエストフィールドを送信する。具体的には、図１４Ａに示すように、ＣＳＩ１、ＣＳＩ２及びＣＳＩ６を第１セットとし、ＣＳＩ３及びＣＳＩ７を第２セットとし、ＣＳＩ４及びＣＳＩ５を第３セットとし、ＣＳＩ８及びＣＳＩ９を第４セットとする。これにより、無線基地局装置ｅＮＢは、ＣｏＭＰ適用時に、図１４Ｂに示すテーブルを用いてＣＳＩリクエスト情報をユーザ端末ＵＥに送信する。図１４Ｂでは、２ビットのＡ−ＣＳＩトリガフィールド（ＣＳＩリクエストフィールド）とＣＩＦとを組み合わせている。２ビットのＡ−ＣＳＩトリガフィールドの値が“００”であり、ＣＩＦの値が“０００”ある場合、“Ａ−ＣＳＩを送信しない”ことを示す。また、２ビットのＡ−ＣＳＩトリガフィールドの値が“０１”であり、ＣＩＦの値が“０００”ある場合、“サービングセル以外の干渉を仮定したときのサービングセルについてのＡ−ＣＳＩを送信する”ことを示す。また、２ビットのＡ−ＣＳＩトリガフィールドの値が“１０”であり、ＣＩＦの値が“０００”ある場合、“ハイヤーレイヤシグナリングにより第１セットのＣＳＩをＡ−ＣＳＩとして送信する”ことを示す。また、２ビットのＡ−ＣＳＩトリガフィールドの値が“１１”であり、ＣＩＦの値が“０００”ある場合、“ハイヤーレイヤシグナリングにより第２セットのＣＳＩをＡ−ＣＳＩとして送信する”ことを示す。また、２ビットのＡ−ＣＳＩトリガフィールドの値が“１０”であり、ＣＩＦの値が“００１”ある場合、“ハイヤーレイヤシグナリングにより第３セットのＣＳＩをＡ−ＣＳＩとして送信する”ことを示す。また、２ビットのＡ−ＣＳＩトリガフィールドの値が“１１”であり、ＣＩＦの値が“００１”ある場合、“ハイヤーレイヤシグナリングにより第１セットのＣＳＩをＡ−ＣＳＩとして送信する”ことを示す。これにより、無線基地局装置ｅＮＢは、ＣｏＭＰ適用時に、図１４Ｂに示すテーブルを用いてＣＳＩリクエスト情報をユーザ端末ＵＥに送信する。
【００６４】
ここまで、第１の方法〜第３の方法について説明したが、すべての方法について、Ａ−ＣＳＩトリガフィールドの代わりにＵＬグラントのフィールドを用いても良い。また、上記第１の方法〜第３の方法について、各方法で１種類のテーブルを用いる場合を例に挙げているが、本発明においては、複数種類のテーブルを予め用意し、異なる時間リソース、周波数リソースにおいて、複数種類のテーブルを使い分けるようにしても良い。例えば、時間的に複数種類に分類された無線リソース（例えば、奇数サブフレームと偶数サブフレーム）において異なるテーブルを用いるようにしても良い。複数種類のテーブルを変更する方法としては、ハイヤレイヤシグナリング（ＲＲＣシグナリング、ＭＡＣシグナリング、報知信号等）や下りリンク制御チャネル（ＰＤＣＣＨやユーザ端末固有のＰＤＣＣＨ(Enhanced-ＰＤＣＣＨ)）により、用いるテーブルを無線基地局装置からシグナリングで指定しても良く、ＵＬグラント等の制御チャネルが送信された無線リソース位置（例えばControl  Channel  Elementの位置）に基づき、ユーザ端末が用いるテーブルを判断しても良い。また、上記実施の形態においては、第１の方法及び第２の方法についてＡ−ＣＳＩトリガフィールドが２ビットである場合を説明し、第３の方法についてＡ−ＣＳＩトリガフィールドが３ビットである場合を説明しているが、本発明はこれに限定されず、第１の方法及び第２の方法についてＡ−ＣＳＩトリガフィールドが３ビット以上であっても良く、第３の方法についてＡ−ＣＳＩトリガフィールドが２ビット又は４ビット以上であっても良い。この場合において、上述したように、既存のＤＣＩビット（例えば、ＣＩＦビット）を利用することにより、Ａ−ＣＳＩトリガフィールドのビット数を増加させずに、通知する情報量を増加させても良い。
【００６５】
このように、本発明によれば、キャリアアグリゲーションのフレームワークにおいてＣｏＭＰ送信が適用される際に、それぞれの送信ポイントについての複数のＣＳＩをフィードバックすることができる。
【００６６】
以下、図１５を参照しながら、本発明の実施の形態に係るユーザ端末１０及び無線基地局装置２０を有する無線通信システム１について説明する。ユーザ端末１０及び無線基地局装置２０は、ＬＴＥ−Ａをサポートしている。
【００６７】
図１５に示すように、無線通信システム１は、無線基地局装置２０と、無線基地局装置２０と通信する複数のユーザ端末１０（１０１、１０２、１０３、・・・１０ｎ、ｎはｎ＞０の整数）とを含んで構成されている。無線基地局装置２０は、上位局装置３０と接続され、この上位局装置３０は、コアネットワーク４０と接続される。ユーザ端末１０は、セル５０において無線基地局装置２０と通信を行うことができる。
【００６８】
なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。上位局装置３０はコアネットワーク４０に包含されても良い。
【００６９】
各ユーザ端末（１０１、１０２、１０３、・・・１０ｎ）は、特段の断りがない限りＬＴＥ−Ａ端末であるが、ＬＴＥ端末を含むこともできる。また、説明の便宜上、無線基地局装置２０と無線通信するのはユーザ端末１０であるものとして説明するが、より一般的には移動端末も固定端末も含むユーザ装置（ＵＥ：User  Equipment）でよい。
【００７０】
無線通信システム１においては、無線アクセス方式として、下りリンクについてはＯＦＤＭＡ（直交周波数分割多元接続）が適用される。一方、上りリンクについてはＳＣ−ＦＤＭＡ（シングルキャリア−周波数分割多元接続）及びクラスタ化ＤＦＴ拡散ＯＦＤＭが適用される。
【００７１】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。クラスタ化ＤＦＴ拡散ＯＦＤＭは、非連続的なクラスタ化されたサブキャリアのグループ（クラスタ）を１台のユーザ端末ＵＥに割り当て、各クラスタに離散フーリエ変換拡散ＯＦＤＭを適用することにより、アップリンクの多元接続を実現する方式である。
【００７２】
ここで、ＬＴＥ−Ａで規定される通信チャネル構成について説明する。下りリンクについては、各ユーザ端末１０で共有されるＰＤＳＣＨと、下りＬ１／Ｌ２制御チャネル（ＰＤＣＣＨ、ＰＣＦＩＣＨ、ＰＨＩＣＨ）とが用いられる。ＰＤＳＣＨにより、ユーザデータ（上位レイヤの制御信号を含む）、すなわち、通常のデータ信号が伝送される。送信データは、このユーザデータに含まれる。なお、無線基地局装置２０でユーザ端末１０に割り当てた基本周波数ブロック（ＣＣ）やスケジューリング情報は、下りリンク制御チャネルによりユーザ端末１０に通知される。
【００７３】
上位制御信号は、キャリアアグリゲーション数の追加／削減、各コンポーネントキャリアにおいて適用される上りリンクの無線アクセス方式（ＳＣ−ＦＤＭＡ／クラスタ化ＤＦＴ拡散ＯＦＤＭ）をユーザ端末１０に対して通知するＲＲＣシグナリング（または、ＭＡＣシグナリング、報知信号）を含む。
【００７４】
上りリンクについては、各ユーザ端末１０で共有して使用されるＰＵＳＣＨと、上りリンクの制御チャネルであるＰＵＣＣＨとが用いられる。このＰＵＳＣＨにより、ユーザデータが伝送される。ＰＵＣＣＨにより、下りリンクのＣＳＩ（ＣＱＩ／ＰＭＩ／ＲＩ）、ＡＣＫ／ＮＡＣＫ等が伝送される。また、ＳＣ−ＦＤＭＡにおいてサブフレーム内周波数ホッピングが適用される。
【００７５】
図１６を参照しながら、本実施の形態に係る無線基地局装置２０の全体構成について説明する。無線基地局装置２０は、送受信アンテナ２０１ａ，２０１ｂと、アンプ部２０２ａ，２０２ｂと、送受信部２０３ａ，２０３ｂと、ベースバンド信号処理部２０４と、呼処理部２０５と、伝送路インターフェース２０６とを備えている。
【００７６】
無線基地局装置２０からユーザ端末１０へ下りリンクで送信されるユーザデータは、無線基地局装置２０の上位局装置３０から伝送路インターフェース２０６を介してベースバンド信号処理部２０４に入力される。
【００７７】
ベースバンド信号処理部２０４は、シーケンス番号付与等のＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ：Inverse  Fast  Fourier  Transform）処理、プリコーディング処理を行う。
【００７８】
ベースバンド信号処理部２０４は、さらにユーザ端末１０に対してセル５０における無線通信のための制御情報を報知チャネルで通知する。セル５０における通信のための報知情報には、例えば、上りリンク又は下りリンクにおけるシステム帯域幅や、ＰＲＡＣＨにおけるランダムアクセスプリアンブルの信号を生成するためのルート系列の識別情報（Root  Sequence  Index）等が含まれる。
【００７９】
送受信部２０３ａ，２０３ｂは、ベースバンド信号処理部２０４から出力されたベースバンド信号を無線周波数帯に周波数変換処する。ＲＦ信号は、アンプ部２０２で増幅されて送受信アンテナ２０１ａ，２０１ｂへ出力される。
【００８０】
無線基地局装置２０は、ユーザ端末１０が送信した送信波を送受信アンテナ２０１ａ，２０１ｂで受信する。送受信アンテナ２０１ａ，２０１ｂで受信された無線周波数信号がアンプ部２０２ａ，２０２ｂで増幅され、送受信部２０３ａ，２０３ｂで周波数変換されてベースバンド信号に変換され、ベースバンド信号処理部２０４に入力される。
【００８１】
ベースバンド信号処理部２０４は、上りリンク伝送で受信したベースバンド信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【００８２】
呼処理部２０５は、通信チャネルの設定や解放等の呼処理や、無線基地局装置２０の状態管理や、無線リソースの管理を行う。
【００８３】
次に、図１７を参照しながら、本実施の形態に係るユーザ端末１０の全体構成について説明する。ユーザ端末１０は、複数の送受信アンテナ１０１ａ，１０１ｂと、アンプ部１０２ａ，１０２ｂと、送受信部１０３ａ，１０３ｂと、ベースバンド信号処理部１０４と、アプリケーション部１０５とを備えている。
【００８４】
送受信アンテナ１０１ａ，１０１ｂで受信した無線周波数信号がアンプ部１０２ａ，１０２ｂで増幅され、送受信部１０３ａ，１０３ｂで周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクのユーザデータは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【００８５】
一方、上りリンクのユーザデータは、アプリケーション部１０５からベースバンド信号処理部１０４に入力される。ベースバンド信号処理部１０４は、再送制御（ＨＡＲＱ）の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２ａ，１０２ｂで増幅されて送受信アンテナ１０１ａ，１０１ｂより送信される。
【００８６】
図１８は、本実施の形態に係る無線基地局装置２０が有するベースバンド信号処理部２０４及び一部の上位レイヤの機能ブロック図であり、主にベースバンド信号処理部２０４は送信処理部の機能ブロックを示している。図１８には、Ｍ個のコンポーネントキャリア（ＣＣ＃１〜ＣＣ＃Ｍ）数に対応可能な基地局構成が例示されている。無線基地局装置２０の配下となるユーザ端末１０に対する送信データが上位局装置３０から無線基地局装置２０に対して転送される。
【００８７】
制御情報生成部３００は、ハイヤーレイヤシグナリング（ＲＲＣシグナリング、ＭＡＣシグナリング、報知信号）により送受信される上位制御信号を生成する。本発明の第１の方法においては、上位制御信号にＣＳＩセット情報が含まれる。また、本発明の第３の方法においては、上位制御信号にＴＰセット情報が含まれる。また、上位制御信号は、コンポーネントキャリアＣＣの追加／削減を要求するコマンドを含んでもよい。また、上位制御信号は、ユーザ毎に生成されてもよい。
【００８８】
データ生成部３０１は、上位局装置３０から転送された送信データをユーザ別にユーザデータとして出力する。
【００８９】
コンポーネントキャリア選択部３０２は、ユーザ端末１０との無線通信に割り当てられるコンポーネントキャリアをユーザ毎に選択する。コンポーネントキャリア選択部３０２にユーザ毎に設定されたコンポーネントキャリアの割当て情報にしたがって、該当するコンポーネントキャリアのチャネル符号化部３０３へ上位制御信号及び送信データが振り分けられる。
【００９０】
スケジューリング部３１０は、システム帯域全体の通信品質に応じて、配下のユーザ端末１０に対するコンポーネントキャリアの割当てを制御する。また、ユーザ端末毎に選択されたコンポーネントキャリアの中からプライマリコンポーネントキャリア（ＰＣＣ）が決められる。ＰＣＣはダイナミックに切り替えても良いし、準静的に切り替えても良い。
【００９１】
また、スケジューリング部３１０は、各コンポーネントキャリアにおけるリソース割り当てを制御している。ＬＴＥ端末ユーザとＬＴＥ−Ａ端末ユーザとを区別してスケジューリングを行う。スケジューリング部３１０は、上位局装置３０から送信データ及び再送指示が入力されると共に、上りリンクの受信信号を測定した受信部からチャネル推定値やリソースブロックのＣＱＩが入力される。
【００９２】
また、スケジューリング部３１０は、上位局装置３０から入力された再送指示、チャネル推定値及びＣＱＩを参照しながら、下りリンク割当て情報、上りリンク割当て情報、及び上下共有チャネル信号のスケジューリングを行う。移動通信における伝搬路は、周波数選択性フェージングにより周波数ごとに変動が異なる。そこで、ユーザデータ送信時に、ユーザ端末１０に対してサブフレーム毎に通信品質の良好なリソースブロックを割り当てる（適応周波数スケジューリングと呼ばれる）。適応周波数スケジューリングでは、各リソースブロックに対して伝搬路品質の良好なユーザ端末１０を選択して割り当てる。そのため、スケジューリング部３１０は、各ユーザ端末１０からフィードバックされるリソースブロック毎のＣＱＩを用いてスループットの改善が期待されるリソースブロックを割り当てる。
【００９３】
また、スケジューリング部３１０は、ユーザ端末１０との間の伝搬路状況に応じてＣＣＥアグリゲーション数を制御する。セル端ユーザに対してはＣＣＥアグリゲーション数を上げることになる。また、割り当てたリソースブロックで所定のブロック誤り率を満たすＭＣＳ（符号化率、変調方式）を決定する。スケジューリング部３１０が決定したＭＣＳ（符号化率、変調方式）を満足するパラメータがチャネル符号化部３０３，３０８，３１２、変調部３０４，３０９，３１３に設定される。
【００９４】
ベースバンド信号処理部２０４は、１コンポーネントキャリア内での最大ユーザ多重数Ｎに対応したチャネル符号化部３０３、変調部３０４、マッピング部３０５を備えている。チャネル符号化部３０３は、データ生成部３０１から出力されるユーザデータ（一部の上位制御信号を含む）で構成される共有データチャネル（ＰＤＳＣＨ）を、ユーザ毎にチャネル符号化する。変調部３０４は、チャネル符号化されたユーザデータをユーザ毎に変調する。マッピング部３０５は、変調されたユーザデータを無線リソースにマッピングする。
【００９５】
また、ベースバンド信号処理部２０４は、複数のＤＣＩフォーマットの中から所定のＤＣＩフォーマットを使用して制御情報を生成する生成部（下り制御情報生成部３０６及び上り制御情報生成部３１１）を備えている。複数のＤＣＩフォーマットには、ＵＬグラントを内容とするＤＣＩフォーマット（例えば、ＤＣＩフォーマット０／４）、ＤＬグラントを内容とするＤＣＩフォーマット（例えば、ＤＣＩフォーマット１Ａ等）が含まれている。
【００９６】
下り制御情報生成部３０６は、ＤＬグラントを内容とするＤＣＩフォーマット（例えば、ＤＣＩフォーマット１Ａなど）を用いて、ＰＤＳＣＨを制御するための下り共有データチャネル用制御情報を生成する。当該下り共有データチャネル用制御情報は、ユーザ毎に生成される。また、当該下り共有データチャネル用制御情報は、ＰＤＳＣＨが割り当てられた上りサービングセルを識別する識別フィールド（ＣＩＦ）が含まれる。
【００９７】
上り制御情報生成部３１１は、ＵＬグラントを内容とするＤＣＩフォーマット（例えば、ＤＣＩフォーマット０／４）を用いて、ＰＵＳＣＨを制御するための上り共有データチャネル用制御情報を生成する。当該上り共有データチャネル用制御情報は、ユーザ毎に生成される。また、当該上り共有データチャネル用制御情報は、ＰＵＳＣＨが割り当てられた上りサービングセルを識別する識別フィールド（ＣＩＦ）が含まれる。
【００９８】
また、当該上り共有データチャネル用制御情報は、非周期的チャネル状態情報（Ａ−ＣＳＩ）を要求する要求フィールド（Ａ−ＣＳＩトリガフィールド）を含む。Ａ−ＣＳＩトリガフィールドには、ユーザ端末１０からのＡ−ＣＳＩの通知を要求するか否かに応じて値が設定されてもよい。さらに、Ａ−ＣＳＩトリガフィールドには、ユーザ端末１０からＡ−ＣＳＩが通知されるべき下りサービングセルの組み合わせに応じて値が設定されてもよい。
【００９９】
例えば、本発明の第１の方法においては、ＤＣＩにはＣＳＩリクエスト情報（Ａ−ＣＳＩトリガフィールド）として、例えば図７Ａに示すビット値が含まれる。また、本発明の第２の方法においては、ＤＣＩにはＣＳＩリクエスト情報（Ａ−ＣＳＩトリガフィールド）として、例えば図８に示すビット値が含まれる。また、本発明の第３の方法においては、ＤＣＩにはＣＳＩリクエスト情報（Ａ−ＣＳＩトリガフィールド）として、例えば図９に示すビット値が含まれる。なお、第３の方法においては、ＣＳＩリクエスト情報がＣＩＦと組み合されている。
【０１００】
また、当該上り共有データチャネル用制御情報は、ＲＡフラグ、ユーザ端末毎に決定したリソースブロック数及びリソースブロック位置を示す割り当て情報、変調方式、符号化率及び冗長化バージョン、新規データか再生データ化を区別する識別子、ＰＵＳＣＨ用の送信電力制御コマンド、復調用リファレンスシグナルのサイクリックシフト（ＣＳ  for  ＤＭＲＳ）、ＣＱＩリクエスト、Ａ−ＳＲＳＦ、ＰＭＩ／ＲＩ等を含んでもよい。
【０１０１】
また、ベースバンド信号処理部２０４は、ユーザ共通の下り制御情報である下り共通制御チャネル用制御情報を生成する下り共通チャネル用制御情報生成部３０７を備えている。
【０１０２】
また、ベースバンド信号処理部２０４は、１コンポーネントキャリア内での最大ユーザ多重数Ｎに対応したチャネル符号化部３０８、変調部３０９を備えている。チャネル符号化部３０８は、下り制御情報生成部３０６及び下り共通チャネル用制御情報生成部３０７で生成される制御情報をユーザ毎にチャネル符号化する。変調部３０９は、チャネル符号化された下り制御情報を変調する。
【０１０３】
また、ベースバンド信号処理部２０４は、生成した上り共有データチャネル用制御情報をユーザ毎にチャネル符号化するチャネル符号化部３１２と、チャネル符号化した上り共有データチャネル用制御情報をユーザ毎に変調する変調部３１３とを備える。
【０１０４】
参照信号生成部３１８は、チャネル推定、シンボル同期、ＣＱＩ測定、モビリティ測定等の様々な目的に使用されるセル固有参照信号（ＣＲＳ：Cell-specific  Reference  Signal)をリソースブロック（ＲＢ）内にＦＤＭ／ＴＤＭで多重して送信する。また、参照信号生成部３１８は、下りリンク復調用参照信号(UE  specific  RS)を送信する。
【０１０５】
上記変調部３０９，３１３でユーザ毎に変調された下り／上り制御情報は、制御チャネル多重部３１４で多重され、さらにインタリーブ部３１５でインタリーブされる。インタリーブ部３１５から出力される制御信号及びマッピング部３０５から出力されるユーザデータは下りチャネル信号としてＩＦＦＴ部３１６へ入力される。また、下り参照信号がＩＦＦＴ部３１６へ入力される。ＩＦＦＴ部３１６は、下りチャネル信号及び下り参照信号を逆高速フーリエ変換して周波数領域の信号から時系列の信号に変換する。サイクリックプレフィックス挿入部３１７は、下りチャネル信号の時系列信号にサイクリックプレフィックスを挿入する。なお、サイクリックプレフィクスは、マルチパス伝搬遅延の差を吸収するためのガードインターバルとして機能する。サイクリックプレフィックスが付加された送信データは、送受信部２０３に送出される。
【０１０６】
図１９は、ユーザ端末１０が有するベースバンド信号処理部１０４の機能ブロック図であり、ＬＴＥ−ＡをサポートするＬＴＥ-Ａ端末の機能ブロックを示している。なお、ユーザ端末１０は、異なるコンポーネントキャリア（ＣＣ）の複数のサービングセルを用いて無線通信可能に構成されている。
【０１０７】
無線基地局装置２０から受信データとして受信された下りリンク信号は、ＣＰ除去部４０１でＣＰが除去される。ＣＰが除去された下りリンク信号は、ＦＦＴ部４０２へ入力される。ＦＦＴ部４０２は、下りリンク信号を高速フーリエ変換（ＦＦＴ：Fast  Fourier  Transform）して時間領域の信号から周波数領域の信号に変換し、デマッピング部４０３へ入力する。デマッピング部４０３は、下りリンク信号をデマッピングし、下りリンク信号から複数の制御情報が多重された多重制御情報、ユーザデータ、上位制御信号を取り出す。なお、デマッピング部４０３によるデマッピング処理は、アプリケーション部１０５から入力される上位制御信号に基づいて行われる。デマッピング部４０３から出力された多重制御情報は、デインタリーブ部４０４でデインタリーブされる。
【０１０８】
また、ベースバンド信号処理部１０４は、下り／上り制御情報を復調する制御情報復調部４０５、下り共有データを復調するデータ復調部４０６及びチャネル推定部４０７を備えている。
【０１０９】
制御情報復調部４０５は、下りリンク制御チャネルから下り共通制御チャネル用制御情報を復調する共通制御チャネル用制御情報復調部４０５ａと、下りリンク制御チャネルからサーチスペースをブラインドデコーディングして上り共有データチャネル用制御情報を復調する上り共有データチャネル用制御情報復調部４０５ｂと、下りリンク制御チャネルからサーチスペースをブラインドデコーディングして下り共有データチャネル用制御情報を復調する下り共有データチャネル用制御情報復調部４０５ｃとを備えている。
【０１１０】
データ復調部４０６は、ユーザデータ及び上位制御信号を復調する下り共有データ復調部４０６ａと、下り共有チャネルデータを復調する下り共有チャネルデータ復調部４０６ｂとを備えている。
【０１１１】
共通制御チャネル用制御情報復調部４０５ａは、下りリンク制御チャネル（ＰＤＣＣＨ）の共通サーチスペースのブラインドデコーディング処理、復調処理、チャネル復号処理などによりユーザ共通の制御情報である共通制御チャネル用制御情報を取り出す。共通制御チャネル用制御情報は、下りリンクのチャネル品質情報（ＣＱＩ）を含んでおり、マッピング部４１５に入力され、無線基地局装置２０への送信データの一部としてマッピングされる。
【０１１２】
上り共有データチャネル用制御情報復調部４０５ｂは、下りリンク制御チャネル（ＰＤＣＣＨ）のユーザ個別サーチスペースのブラインドデコーディング処理、復調処理、チャネル復号処理などによりユーザ固有の上り共有データチャネル用制御情報（例えば、ＵＬグラント）を取り出す。復調された上り共有データチャネル用制御情報は、マッピング部４１５に入力されて、上り共有データチャネル（ＰＵＳＣＨ）の制御に使用される。
【０１１３】
下り共有データチャネル用制御情報復調部４０５ｃは、下りリンク制御チャネル（ＰＤＣＣＨ）のユーザ個別サーチスペースのブラインドデコーディング処理、復調処理、チャネル復号処理などによりユーザ固有の下り共有データチャネル用制御情報（例えば、ＤＬグラント）を取り出す。復調された下り共有データチャネル用制御情報は、下り共有データ復調部４０６へ入力されて、下り共有データチャネル（ＰＤＳＣＨ）の制御に使用される。
【０１１４】
下り共有データ復調部４０６ａは、下り共有データチャネル用制御情報復調部４０５ｃから入力された下り共有データチャネル用制御情報に基づいて、ユーザデータや上位制御情報を取得する。上位制御情報（ＣＳＩセット情報、ＴＰセット情報を含む）は、チャネル推定部４０７に出力される。下り共通チャネルデータ復調部４０６ｂは、上り共有データチャネル用制御情報復調部４０５ｂから入力された上り共有データチャネル用制御情報に基づいて、上り共通チャネルデータを復調する。
【０１１５】
チャネル推定部４０７は、ユーザ端末固有の参照信号，または共通参照信号を用いてチャネル推定する。推定されたチャネル変動を、共通制御チャネル用制御情報復調部４０５ａ、上り共有データチャネル用制御情報復調部４０５ｂ、下り共有データチャネル用制御情報復調部４０５ｃ及び下り共有データ復調部４０６ａに出力する。これらの復調部においては、推定されたチャネル変動及び復調用参照信号を用いて復調処理を行う。
【０１１６】
ベースバンド信号処理部１０４は、送信処理系の機能ブロックとして、データ生成部４１１、チャネル符号化部４１２、変調部４１３、ＤＦＴ部４１４、マッピング部４１５、ＩＦＦＴ部４１６、ＣＰ挿入部４１７、チャネル状態情報生成部４１８を備えている。
【０１１７】
データ生成部４１１は、アプリケーション部１０５から入力されるビットデータから送信データを生成する。チャネル符号化部４１２は、送信データに対して誤り訂正等のチャネル符号化処理を施し、変調部４１３はチャネル符号化された送信データをＱＰＳＫ等で変調する。ＤＦＴ部４１４は、変調された送信データを離散フーリエ変換する。マッピング部４１５は、ＤＦＴ後のデータシンボルの各周波数成分を、無線基地局装置２０に指示されたサブキャリア位置へマッピングする。ＩＦＦＴ部４１６は、システム帯域に相当する入力データを逆高速フーリエ変換して時系列データに変換し、ＣＰ挿入部４１７は時系列データに対してデータ区切りでサイクリックプレフィックスを挿入する。
【０１１８】
チャネル状態情報生成部４１８は、上り共有データチャネル用制御情報復調部４０５ｂで復調されたＵＬグラントに基づいて周期的又は非周期的にチャネル状態情報（ＣＳＩ（ＣＱＩ／ＰＭＩ／ＲＩ））を生成する。例えば、第１の方法においては、ユーザ端末ＵＥは、ＤＣＩでビット情報を受信すると、無線基地局装置ｅＮＢからのＲＲＣシグナリング（または、ＭＡＣシグナリング、報知信号）で通知されたＣＳＩセット情報と、図７Ａに示すテーブルに規定されている情報にしたがってＣＳＩを算出し、そのＣＳＩをＰＵＳＣＨ信号でフィードバックする。また、第２の方法においては、ユーザ端末ＵＥは、ＤＣＩでビット情報を受信すると、図８に示すテーブルに規定されている情報にしたがってＣＳＩを算出し、そのＣＳＩをＰＵＳＣＨ信号でフィードバックする。また、第３の方法においては、ユーザ端末ＵＥは、ＤＣＩでビット情報を受信すると、無線基地局装置ｅＮＢからのＲＲＣシグナリング（または、ＭＡＣシグナリング、報知信号）で通知されたＴＰセット情報と、図９に示すテーブルに規定されている情報にしたがってＣＳＩを算出し、そのＣＳＩをＰＵＳＣＨ信号でフィードバックする。
【０１１９】
なお、Ａ−ＣＳＩトリガフィールドの各値に対して割り当てられるサービングセルは、予め無線基地局２０からユーザ端末１０に対して上位制御信号（例えば、ＲＲＣシグナリング）により通知されてもよいし、固定的にユーザ端末１０に設定されていてもよい。
【０１２０】
なお、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【符号の説明】
【０１２１】
１  無線通信システム
１０  ユーザ端末
２０  無線基地局装置
３０  上位局装置
４０  コアネットワーク
１０１ａ，１０１ｂ  送受信アンテナ
１０２ａ，１０２ｂ  アンプ部
１０３ａ，１０３ｂ  送受信部
１０４  ベースバンド信号処理部
１０５  アプリケーション部
２０１ａ，２０１ｂ  送受信アンテナ
２０２ａ，２０２ｂ  アンプ部
２０３ａ，２０３ｂ  送受信部
２０４  ベースバンド信号処理部
２０５  呼処理部
２０６  伝送路インターフェース
３００  制御情報生成部
３０１  データ生成部
３０２  コンポーネントキャリア選択部
３０３，３０８，３１２  チャネル符号化部
３０４，３０９，３１３  変調部
３０５  マッピング部
３０６  下り制御情報生成部
３０７  下り共通チャネル用制御情報生成部
３１０  スケジューリング部
３１１  上り制御情報生成部
３１４  制御チャネル多重部
３１５  インタリーブ部
３１６  ＩＦＦＴ部
３１７  ＣＰ挿入部
３１８  参照信号生成部
４０１  ＣＰ除去部
４０２  ＦＦＴ部
４０３  デマッピング部
４０４  デインタリーブ部
４０５  制御情報復調部
４０５ａ  共通制御チャネル用制御情報復調部
４０５ｂ  上り共有データチャネル用制御情報復調部
４０５ｃ  下り共有データチャネル用制御情報復調部
４０６  データ復調部
４０６ａ  下り共有データ復調部
４０６ｂ  下り共有チャネルデータ復調部
４０７  チャネル推定部
４１１  データ生成部
４１２  チャネル符号化部
４１３  変調部
４１４  ＤＦＴ部
４１５  マッピング部
４１６  ＩＦＦＴ部
４１７  ＣＰ挿入部
４１８  チャネル状態情報生成部
【図１】
0005770682.tif 000002
【図２】
0005770682.tif 000003
【図３】
0005770682.tif 000004
【図４】
0005770682.tif 000005
【図５】
0005770682.tif 000006
【図６】
0005770682.tif 000007
【図７】
0005770682.tif 000008
【図８】
0005770682.tif 000009
【図９】
0005770682.tif 000010
【図１０】
0005770682.tif 000011
【図１１】
0005770682.tif 000012
【図１２】
0005770682.tif 000013
【図１３】
0005770682.tif 000014
【図１４】
0005770682.tif 000015
【図１５】
0005770682.tif 000016
【図１６】
0005770682.tif 000017
【図１７】
0005770682.tif 000018
【図１８】
0005770682.tif 000019
【図１９】
0005770682.tif 000020